【事件の表示】
　特許第２７４３０４４号「低濃度ＮＯＸおよびＳＯＸの同時吸着除去剤、並びにこれらの同時除去方法」の請求項１に係る特許に対する特許異議の申立てについて、次のとおり決定する。
【結論】
　訂正を認める。
　特許第２７４３０４４号の請求項１に係る特許を維持する。
【理由】
１、手続の経緯
　特許第２７４３０４４号の請求項１、２に係る発明は、平成４年１月２３日に特許出願され、平成１０年２月６日にその特許の設定登録がなされたものである。
　これに対して、中居雄三より請求項１に対して特許異議の申立てがなされ、取消理由通知がなされ、その指定期間内に訂正請求がなされ、その後訂正拒絶理由通知がなされ、その指定期間内の平成１１年９月９日付けで訂正請求書の手続補正書が提出されたものである。
２、訂正の適否
２−１、訂正の内容
　平成１１年９月９日付けの手続補正書で補正された訂正請求書における訂正の内容は、本件特許明細書を訂正請求書に添付した訂正明細書のとおりに訂正しようとするものである。
　すなわち、特許請求の範囲の減縮を目的として、
▲１▼訂正事項（ア）、特許明細書の特許請求の範囲の請求項１の「【請求項１】アナターゼ型チタニアから成ることを特徴とする低濃度ＮＯＸおよびＳＯＸの同時吸着除去剤。」を、「【請求項１】脱湿後の道路トンネル等の換気ガス中に含有されるＮＯＸ３ｐｐｍおよびＳＯＸ０．５〜１ｐｐｍを同時に除去する吸着除去剤であって、アナターゼ型チタニアから成ることを特徴とする、低濃度ＮＯＸおよびＳＯＸの同時吸着除去剤。」と訂正し、
▲２▼訂正事項（イ）、特許明細書の特許請求の範囲の請求頃２の「【請求項２】処理すべきガスを脱湿した後、アナターゼ型チタニアから成る吸着除去剤を保持した吸着ローターの吸着ゾーンに該脱湿ガスを通して、ガス中のＮＯＸおよびＳＯＸを吸着除去し、吸着ローターの再生ゾーンに加熱空気を循環して吸着物を脱着させ、循環空気の一部をパージガスとして抜き出す際に脱硝・脱硫装置に通して無害化することを特徴とする、低濃度ＮＯＸおよびＳＯＸの同時除去方法。」を、「【請求項２】道路トンネル等の換気ガス中に含有されるＮＯＸ３ｐｐｍおよびＳＯＸ０．５〜１ｐｐｍを同時に除去する方法であって、処理すべきガスを脱湿した後、アナターゼ型チタニアから成る吸着除去剤を保持した吸着ローターの吸着ゾーンに該脱湿ガスを通して、ガス中のＮＯＸおよびＳＯＸを吸着除去し、吸着ローターの再生ゾーンに加熱空気を循環して吸着物を脱着させ、循環空気の一部をパージガスとして抜き出す際に脱硝・脱硫装置に通して無害化することを特徴とする、低濃度ＮＯＸおよびＳＯＸの同時除去方法。」と訂正する。
　さらに、明りょうでない記載の釈明を目的として、
▲３▼訂正事項（ウ）、特許明細書中の段落【００１０】の「【課題を解決するための手段】本発明による低濃度ＮＯＸおよびＳＯＸの同時吸着除去剤は、アナターゼ型チタニアから成るものである。」を、「【課題を解決するための手段】本発明による吸着除去剤は、脱湿後の道路トンネル等の換気ガス中に含有されるＮＯＸ３ｐｐｍおよびＳＯＸ０．５〜１ｐｐｍを同時に除去する吸着除去剤であって、アナターゼ型チタニアから成るものである。」と訂正し、
▲４▼訂正事項（エ）、特許明細書中の段落【００１１】の「また、本発明による低濃度ＮＯＸおよびＳＯＸの同時除去方法は、処理すべきガスを脱湿した後、アナターゼ型チタニアから成る吸着除去剤を保持した吸着ローターの吸着ゾーンに該脱湿ガスを通して、ガス中のＮＯＸおよびＳＯＸを吸着除去し、吸着ローターの再生ゾーンに加熱空気を循環して吸着物を脱着させ、循環空気の一部をパージガスとして抜き出す際に脱硝・脱硫装置に通して無害化することを特徴とするものである。」を、「また、本発明による除去方法は、道路トンネル等の換気ガス中に含有されるＮＯＸ３ｐｐｍおよびＳＯＸ０．５〜１ｐｐｍを同時に除去する方法であって、処理すべきガスを脱湿した後、アナターゼ型チタニアから成る吸着除去剤を保持した吸着ローターの吸着ゾーンに該脱湿ガスを通して、ガス中のＮＯＸおよびＳＯＸを吸着除去し、吸着ローターの再生ゾーンに加熱空気を循環して吸着物を脱着させ、循環空気の一部をパージガスとして抜き出す際に脱硝・脱硫装置に通して無害化することを特徴とするものである。」と訂正するものである。
２−２、訂正の目的の適否、新規事項の有無及び拡張変更の存否
　上記訂正事項（ア）は、「低濃度ＮＯＸおよびＳＯＸ」を「脱湿後の道路トンネル等の換気ガス中に含有されるＮＯＸ３ｐｐｍおよびＳＯＸ０．５〜１ｐｐｍ」と限定し、上記訂正事項（イ）は、「低濃度ＮＯＸおよびＳＯＸ同時除去法」を「道路トンネル等の換気ガス中に含有されるＮＯＸ３ｐｐｍおよびＳＯＸ０．５〜１ｐｐｍを同時に除去する方法」と限定するものであり、かつこれらの事項は本件特許明細書に記載されているから、特許請求の範囲の減縮に該当し、実質上特許請求の範囲を拡張し、変更するものではなく、新規事項の追加にも該当しない。
　また、上記訂正事項（ウ）、（エ）は特許請求の範囲の減縮を目的とする上記訂正事項（ア）、（イ）の訂正に伴うものであり、減縮された請求項１、２の記載と明細書の記載を整合させるために、明りょうでない記載を行うことを目的とする訂正に該当する。
２−３、独立特許要件
２−３−１、訂正明細書の請求項１、２に係る発明
　本件訂正明細書の請求項１、２に係る発明は、その特許請求の範囲の請求項１、２に記載された次のとおりのものである。
「【請求項１】脱湿後の道路トンネル等の換気ガス中に含有されるＮＯＸ３ｐｐｍおよびＳＯＸ０．５〜１ｐｐｍを同時に除去する吸着除去剤であって、アナターゼ型チタニアから成ることを特徴とする、低濃度ＮＯＸおよびＳＯＸの同時吸着除去剤。
「【請求項２】道路トンネル等の換気ガス中に含有されるＮＯＸ３ｐｐｍおよびＳＯＸ０．５〜１ｐｐｍを同時に除去する方法であって、処理すべきガスを脱湿した後、アナターゼ型チタニアから成る吸着除去剤を保持した吸着ローターの吸着ゾーンに該脱湿ガスを通して、ガス中のＮＯＸおよびＳＯＸを吸着除去し、吸着ローターの再生ゾーンに加熱空気を循環して吸着物を脱着させ、循環空気の一部をパージガスとして抜き出す際に脱硝・脱硫装置に通して無害化することを特徴とする、低濃度ＮＯＸおよびＳＯＸの同時除去方法。」
２−３−２、引用刊行物の記載内容
　当審が先に通知した請求項１に係る発明に対する訂正拒絶理由通知に引用された刊行物１（Ｊ．ＣＨＥＭ．ＳＯＣ．ＦＡＲＡＤＡＹ　ＴＲＡＮＳ　８７（４）　ｐ６４３〜６５１（１９９１））には、「アナターゼのＮＨ３、ピリジン、ＮＯおよびＮＯ２の吸着に関する赤外およびラーマン研究」が記載されており、特に次の事項が記載されている。
（ａ）「一酸化窒素の吸着　アナターゼを一酸化窒素に曝すと、３６７５ｃｍ−１水酸基バンドはＮＯにより影響は受けないが、３７２０ｃｍ−１水酸基バンドの強度が低下するに至った（図８）。」（。」（第６４６頁右欄第３〜６行）
（ｂ）「水素中７２３Ｋで前処理したアナターゼへ吸着された一酸化窒素のＩＲ結果は、酸素中で標準か焼処理を行ったアナターゼへ吸着された一酸化窒素の対応する結果（図９）と極めて類似している（図９）。」（第６４７頁左欄第３〜７行）
（ｃ）「二酸化窒素の吸着　アナターゼを二酸化窒素に曝すと、３７２０ｃｍ−１バンドが消え、３６７５ｃｍ−１水酸基バンドの強度が低下した（図１０）」（第６４７頁左下欄第８〜１１行）
　同じく刊行物２（ＩＮＯＲＧＡＮＩＣ　ＣＨＥＭＩＳＴＲＹ、Ｍａｒｃｈ　ｐ４４１〜４４３（１９８９））には、「ＩＲ分光分析による二酸化チタンヘのＳＯ２の吸着および熱脱着の研究」が記載されており、特に次の事項が記載されている。
（ｄ）「ここでは、ＴｉＯ２（アナターゼ）の表面へのＳＯ２の吸着を研究した。」
。」（第４４１頁第５〜６行）
（ｅ）「ＴｉＯ２に吸着されたＳＯ２のＩＲスペクトルを図２に示す。」（第４４１頁下から第４行）
（ｆ）「ＳＯ２のアナターゼからの熱脱着スペクトルに２つのピークが見られる。」（第４４１頁第２０行）
（ｇ）「結論　少なくとも２つの異なる形の化学吸着ＳＯ２がアナターゼの表面に固定された。・・・・ＴｉＯ２に化学吸着されたＳＯ２の熱安定性はγ−Ａｌ２Ｏ３に吸着されたＳＯ２の熱安定性よりも低い。」（第４４３頁「ＣＯＮＣＬＵＳＩＯＮＳ」の欄）
２−３−３、請求項１に係る発明について
　訂正後の請求項１に係る発明（以下、訂正第１発明という。）と刊行物１、２に記載された発明を対比する。
　訂正第１発明は、脱湿後の道路トンネル等の換気ガス中に含有されるＮＯＸ３ｐｐｍおよびＳＯＸ０．５〜１ｐｐｍを同時に除去する吸着除去剤に関する発明であり、この吸着除去剤が「アナターゼ型チタニアから成る」点を構成要件としており、換言すれば、「脱湿後の道路トンネル等の換気ガス」という特定の換気ガスから、「ＮＯＸ３ｐｐｍおよびＳＯＸ０．５〜１ｐｐｍ」という特定の濃度の吸着除去対象物を同時に除去する、「アナターゼ型チタニアから成る」同時吸着除去剤を特徴とするものであり、この点により明細書記載の効果を奏するものである。
　これに対して、刊行物１には、ＮＯおよびＮＯ２をアナターゼによって吸着することが、刊行物２には、ＳＯ２をＴｉＯ２（アナターゼ）によって吸着することについてはそれぞれ記載されているが、これら刊行物１、２には、「脱湿後の道路トンネル等の換気ガス」という特定の換気ガスから、「ＮＯＸ３ｐｐｍおよびＳＯＸ０．５〜１ｐｐｍ」という特定の濃度の吸着除去対象物を同時に除去することは記載も示唆もされていない。
　したがって、訂正第１発明は、刊行物１、２に記載された発明に基づいて、当業者が容易に想到し得るものであるとすることはできない。
２−３−４、請求項２に係る発明について
　訂正後の請求項２に係る発明（以下、訂正第２発明という。）と刊行物１、２に記載された発明を対比すると、訂正第２発明は、道路トンネル等の換気ガス中に含有されるＮＯＸ３ｐｐｍおよびＳＯｘ０．５〜１ｐｐｍを同時に除去する方法に関する発明であって、「処理すべきガスを脱湿した後、」を構成要件としているから、訂正第２発明は、道路トンネル等の換気ガスを脱湿した後、ＮＯＸ３ｐｐｍおよびＳＯＸ０．５〜１ｐｐｍを同時に除去することを特徴とするものであり、これにより明細書記載の効果を奏するものである。
　しかるに、この点については上記２−３−３で述べたように、刊行物１、２には記載も示唆もされていないから、訂正第２発明は、刊行物１、２に記載された発明に基づいて当業者が容易に想到し得るものであるとすることはできない。
２−３−５、まとめ
　以上のとおり、訂正後の請求項１、２に係る発明は特許出願の際独立して特許を受けることができるものであるから、上記訂正請求は、特許法第１２０条の４第２項及び同条第３項で準用する第１２６条第２〜４項の規定に適合するので、当該訂正を認める。
３、特許異議申立てについて
３−１、申立ての理由の概要
　特許異議申立人は、証拠方法として甲第１〜４号証を提出し、請求項１に係る発明の特許は下記の理由▲１▼、▲２▼により取り消されるべきものである旨主張している。
理由▲１▼
　請求項１に係る発明は、甲第１〜４号証に記載された発明に基づいて当業者が容易に発明をすることができたものであるから、請求項１に係る発明の特許は、特許法第２９条第２項の規定に違反してなされたものである。
理由▲２▼
　本件特許明細書の請求項１の「低濃度ＮＯＸおよびＳＯＸの同時吸着除去剤」の記載は濃度が不明の記載であるから、請求項１に係る発明の特許は、特許法第３６条第５、６項の規定に違反してなされたものである。
３−２、理由▲１▼について、
３−２−１、甲各号証の記載内容
　甲第１、２号証は、それぞれ上記刊行物１、２と同じ。
　甲第３号証（特開平３−２３３１００号公報）には、自動車道トンネル用換気設備が記載されており、特に次の事項が記載されている。
（ａ）「有害ガス除去装置は二酸化チタンと活性炭との混合物と、これに波長が３００ｎｍ以上の光を照射する光源とからなることを特徴とする請求項１記載の自動車道トンネル用換気設備」（請求項２）
（ｂ）「ところで周知の通り、電気集じん機は空気中のサブミクロンオーダの浮遊微粒子（煤じん）を捕集する機能を有するものであるが、自動車からの排気物には媒じんの他、ＮＯＸ、ＳＯＸ、ＣＯなど対人かつ対電気設備的に有害なガスが含まれている。」（第１頁右欄第１７行〜第２頁左上欄第２行）
　甲第４号証（「第１６回日本道路会議　一般論文集」社団法人　日本道路協会　第１７１、１７２頁（昭和６０年１０月２０日））には、トンネル車道内空気の性状が記載されており、特に次の事項が記載されている。
（ｃ）「２．車道空間内のＮＯＸ濃度とその構成測定結果から車道空間におけるＮＯＸ濃度の実態を把握するだけでなく、ＮＯ・ＮＯ２の濃度の構成比どのようになっているかを調べたものである。ＮＯ２について１時間値で０．０３〜０．０６ｐｐｍあるとみられるバックグランド濃度など考慮していないが、ＮＯＸ（ＮＯ＋ＮＯ２）とＮＯ・ＮＯ２の相互関係を示したものが図３である。」（第１７１頁下から第６〜４行）
（ｄ）第１７２頁図３の窒素酸化物と一酸化窒素濃度との関係の図において、横軸のＮＯＸ（ｐｐｍ，１時間値）は０．５〜３．６程度の値を示している。
３−２−２、本件発明
　本件請求項１に係る発明は、上記２−３−１において摘記したとおりのものである。
　本件請求項１に係る発明は、上記２−３−２で述べたように、特定の換気ガスから、特定の濃度の吸着除去対象物を同時に除去する、「アナターゼ型チタニアから成る」同時吸着除去剤を特徴とするものであるが、甲第１〜４号証には、これらの特定の換気ガスと特定の濃度の吸着除去対象物と「アナターゼ型チタニアから成る」同時吸着除去剤との関係については記載も示唆もされていない。
　すなわち、甲第１、２号証については上記２−３−２で述べたとおりであり、また、甲第３号証には、自動車道トンネル内のＮＯＸ、ＳＯＸを同時に除去することは記載されているものの、除湿後の換気ガスを対象とするアナターゼ型チタニアから成る同時吸着剤については記載も示唆もされていない。
　また、甲第４号証には、車道空間におけるＮＯＸ濃度が記載されているものの、除湿後の換気ガスからアナターゼ型チタニアから成る同時吸着剤で除去することは記載も示唆もされていない。
　したがって、請求項１に係る発明は、甲第１〜４号証に記載された発明に基づいて、当業者が容易に想到し得るものであるということはできない。
３−３、理由▲２▼について
　訂正請求により、ＮＯＸとＳＯＸの濃度が限定された結果、記載不備は解消された。
４、むすび
　以上のとおり、特許異議申立ての理由及び証拠方法によっては、本件請求項１に係る発明の特許を取り消すことはできない。
　また、他に本件特許を取り消すべき理由を発見しない。
　よって、結論のとおり決定する。
【異議決定日】
平成１１年１０月２０日（１９９９．１０．２０）
【訂正の要旨】
訂正の要旨
　特許第２７４３０４４号発明の明細書を、本件訂正請求書に添付された訂正明細書のとおりに、すなわち、特許請求の範囲の減縮を目的として、
　さらに、明りょうでない記載の釈明を目的として、
▲１▼訂正事項（ア）、特許明細書の特許請求の範囲の請求項１の「【請求項１】アナターゼ型チタニアから成ることを特徴とする低濃度ＮＯＸおよびＳＯＸの同時吸着除去剤。」を、「【請求項１】脱湿後の道路トンネル等の換気ガス中に含有されるＮＯＸ３ｐｐｍおよびＳＯＸ０．５〜１ｐｐｍを同時に除去する吸着除去剤であって、アナターゼ型チタニアから成ることを特徴とする、低濃度ＮＯＸおよびＳＯＸの同時吸着除去剤。」と訂正し、
▲２▼訂正事項（イ）、特許明細書の特許請求の範囲の請求頃２の「【請求項２】処理すべきガスを脱湿した後、アナターゼ型チタニアから成る吸着除去剤を保持した吸着ローターの吸着ゾーンに該脱湿ガスを通して、ガス中のＮＯＸおよびＳＯＸを吸着除去し、吸着ローターの再生ゾーンに加熱空気を循環して吸着物を脱着させ、循環空気の一部をパージガスとして抜き出す際に脱硝・脱硫装置に通して無害化することを特徴とする、低濃度ＮＯＸおよびＳＯＸの同時除去方法。」を、「【請求項２】道路トンネル等の換気ガス中に含有されるＮＯＸ３ｐｐｍおよびＳＯＸ０．５〜１ｐｐｍを同時に除去する方法であって、処理すべきガスを脱湿した後、アナターゼ型チタニアから成る吸着除去剤を保持した吸着ローターの吸着ゾーンに該脱湿ガスを通して、ガス中のＮＯＸおよびＳＯＸを吸着除去し、吸着ローターの再生ゾーンに加熱空気を循環して吸着物を脱着させ、循環空気の一部をパージガスとして抜き出す際に脱硝・脱硫装置に通して無害化することを特徴とする、低濃度ＮＯＸおよびＳＯＸの同時除去方法。」と訂正する。
　さらに、明りょうでない記載の釈明を目的として、
▲３▼訂正事項（ウ）、特許明細書中の００１０段落の「【課題を解決するための手段】本発明による低濃度ＮＯＸおよびＳＯＸの同時吸着除去剤は、アナターゼ型チタニアから成るものである。」を、「【課題を解決するための手段】本発明による吸着除去剤は、脱湿後の道路トンネル等の換気ガス中に含有されるＮＯＸ３ｐｐｍおよびＳＯＸ０．５〜１ｐｐｍを同時に除去する吸着除去剤であって、アナターゼ型チタニアから成るものである。」と訂正し、
▲４▼訂正事項（エ）、特許明細書中の００１１段落の「また、本発明による低濃度ＮＯＸおよびＳＯＸの同時除去方法は、処理すべきガスを脱湿した後、アナターゼ型チタニアから成る吸着除去剤を保持した吸着ローターの吸着ゾーンに該脱湿ガスを通して、ガス中のＮＯＸおよびＳＯＸを吸着除去し、吸着ローターの再生ゾーンに加熱空気を循環して吸着物を脱着させ、循環空気の一部をパージガスとして抜き出す際に脱硝・脱硫装置に通して無害化することを特徴とするものである。」を、「また、本発明による除去方法は、道路トンネル等の換気ガス中に含有されるＮＯＸ３ｐｐｍおよびＳＯＸ０．５〜１ｐｐｍを同時に除去する方法であって、処理すべきガスを脱湿した後、アナターゼ型チタニアから成る吸着除去剤を保持した吸着ローターの吸着ゾーンに該脱湿ガスを通して、ガス中のＮＯＸおよびＳＯＸを吸着除去し、吸着ローターの再生ゾーンに加熱空気を循環して吸着物を脱着させ、循環空気の一部をパージガスとして抜き出す際に脱硝・脱硫装置に通して無害化することを特徴とするものである。」と訂正するものである。
（５４）【発明の名称】
低濃度ＮＯＸおよびＳＯＸの同時吸着除去剤、並びにこれらの同時除去方法
（５７）【特許請求の範囲】
　　【請求項１】　
脱湿後の道路トンネル等の換気ガス中に含有されるＮＯＸ３ｐｐｍおよびＳＯＸ０．５〜１ｐｐｍを同時に除去する吸着除去剤であって、
　　【請求項２】　
道路トンネル等の換気ガス中に含有されるＮＯＸ３ｐｐｍおよびＳＯＸ０．５〜１ｐｐｍを同時に除去する方法であって、
、
【発明の詳細な説明】
　　　【０００１】
　　【産業上の利用分野】
　本発明は、各種道路トンネル、山岳トンネル、海底トンネル、地下道路、シェルター付道路等の各種トンネルにおける換気ガス中に含有される低濃度の窒素酸化物（ＮＯＸ）と硫黄酸化物（ＳＯＸ）との同時吸着除去剤、並びにこれらの同時除去方法に関するものてある。
　　　【０００２】
　　【発明の背景】
　各種道路トンネル、山岳トンネル、地下道路、シェルター付道路等（本明細書ては、これらのトンネルを総称して「道路トンネル等」と呼ぶこととする）において、特に長大て自動車交通量の多いものについては、通行者の健康保護や明視距離の改善を目的に相当量の換気を行う必要がある。また、比較的短距離のトンネルでも都市部あるいはその近郊では、出入口部に集中する一酸化炭素（ＣＯ）、ＮＯＸ、ＳＯＸ等による大気汚染を防止する方法として、トンネル内の空気を吸引排気（換気）する方法がある。
　　　【０００３】
　しかしながら、換気ガスをそのまま周囲に放散したのでは、地域的な環境改善にはならず、特に自動車排ガスによる汚染が平面的に拡がっている都市部あるいはその近郊では高度の汚染地域を拡大させることになりかねない。既設道路の公害対策としてトンネル化、シェルター設置を図る場合も、前述の事情は全く同じである。
　　　【０００４】
　本発明は、このような道路トンネル等の換気ガス中に含有される低濃度のＮＯＸとＳＯＸとを同時に効率よく除去することができる吸着除去剤、並びにこれらの同時除去方法に関するものである。
　　　【０００５】
　　【従来の技術】
　道路トンネル等の換気ガス中には約３ｐｐｍのＮＯＸ、０．５〜１ｐｐｍ程度のＳＯＸその他が含まれている。
　　　【０００６】
　こうした低濃度のＮＯＸの除去については従来いくつかの提案があるが、低濃度のＳＯＸの除去、ましてや低濃度のＮＯＸと低濃度のＳＯＸの同時除去については、まだ報告がない。
　　　【０００７】
　吸着剤によるＮＯＸの吸着除去に関する研究の中で、比較的低濃度のＮＯＸの吸着除去に関する研究としては、（財）工業開発研究所の研究（「特殊な吸着、酸化触媒を使用する新脱硝システムの開発に関する研究」、昭和５３年５月）がある。この中で、空気−Ｈ２Ｏ−ＮＯ系の模擬ガス（入口ＮＯ濃度：１００〜１２０ｐｐｍ、乾燥ガス（露点：−１７℃）、ＳＶ：３２７０／ｈ）による試験が行われ、吸着剤としては天然擬灰岩に銅系金属（酸化物）を担持したものがよいことが報告されている。
　　　【０００８】
　　【発明が解決しようとする課題】
　しかしながら、道路トンネル等の換気ガス中に含有されるＮＯＸの濃度は上述の如く約３ｐｐｍであるので、（財）工業開発研究所の研究（ＮＯＸ濃度：約１００ｐｐｍ）で用いられている吸着剤が、このような低濃度のＮＯＸを効率よく吸着除去できるか否かはなはだ疑問である。
　　　【０００９】
　本発明は、上記の点に鑑み、道路トンネル等の換気ガス中に含有される低濃度のＮＯＸとＳＯＸとを同時に効率よく除去することがてきる吸着除去剤、並びにこれらの同時除去方法を提供することを目的とするものである。
　　　【００１０】
　　【課題を解決するための手段】
　本発明による吸着除去剤は、
脱湿後の道路トンネル等の換気ガス中に含有されるＮＯＸ３ｐｐｍおよびＳＯｘ０．５〜１ｐｐｍを同時に除去する吸着除去剤であって、
　　　【００１１】
　また、本発明による除去方法は、
道路トンネル等の換気ガス中に含有されるＮＯＸ３ｐｐｍおよびＳＯＸ０．５〜１ｐｐｍ同時に除去する方法であって、
　　　【００１２】
　まず、本発明吸着除去剤について説明する。
　　　【００１３】
　本発明による吸着除去剤を構成するアナターゼ型のチタニアゾルとしては、たとえば、硫酸法チタニア製造時の中間品である水和チタニア（チタン酸スラリー）やチタン酸スラリーを解膠・安定化したものか使用される。
　　　【００１４】
　本発明による吸着除去剤を製造するには、たとえば、セラミックペーパーにアナターゼ型チタニアゾルを含浸させて乾燥ないし焼成する。セラミックペーパーは、セラミックスファイバーの抄紙によって製造される。セラミックペーパーの市販品を使用することもできる。
　　　【００１５】
　アナターゼ型のチタニアはその保持量が多くなるほどＮＯＸおよびＳＯＸ吸着性能が高くなる傾向を示す。アナターゼ型のチタニアの保持量が２０ｇ／ｍ２以下では、ＮＯＸおよびＳＯＸ吸着性能が急激に低下するため、同保持量としては２０ｇ／ｍ２以上が好ましい。
　　　【００１６】
　本発明による吸着除去剤に吸着したＮＯＸおよびＳＯＸは、加熱により容易に脱着する。そのため吸着剤の再生は簡便になし得る。したがって、本発明による吸着除去剤は、ＮＯＸおよびＳＯＸの吸着と脱着（再生）を連続的に繰り返す回転式の吸着ローター形態の吸着除去剤として好適に利用可能である。
　　　【００１７】
　つぎに、本発明による低濃度ＮＯＸおよびＳＯＸの同時除去方法について説明する。
　　　【００１８】
　脱湿工程は、たとえばシリカゲル脱湿剤を用いて行われる。吸着により熱が生じるので、処理すべき換気ガスを冷却するのが好ましい。
　　　【００１９】
　吸着剤再生用の加熱空気の温度は、好ましくは１００〜３００℃である。また、再生用加熱空気を循環使用することは省エネルギーの観点から好ましい。
　　　【００２０】
実施例１
　市販のセラミックペーパー（日本無機（株）製、成分；シリカ：アルミナ＝５０：５０、厚さ；０．２５ｍｍ、坪量；４６ｇ／ｍ２）を所定の寸法に切断し、アナターゼ型のチタニアゾル（ＴｉＯ２含有量；約３０重量％）に室温て浸漬した。浸漬後、直ちにこのセラミックペーパーを平板上に取り出し、ローラー等により余分なチタニアゾルを落とし均一な厚さとすると同時に、熱風により乾燥した。こうして成形した平板状チタニアゾル含浸セラミックペーパーを電気炉に入れ、空気中３００℃で３時間焼成して、平板状のチタニア保持セラミックペーパーを得た。
　　　【００２１】
　また、上記アナターゼ型チタニアゾル浸漬後のセラミックペーパーを波板上に取り出し、それ以後は上記と同じ操作を行うことにより、波板状のチタニア保持セラミックペーパーを得た。
　　　【００２２】
　チタニアゾル含浸前の重量と焼成後の重量との差により、ＴｉＯ２担持量を求めた結果、４０ｇ／ｍ２のＴｉＯ２が担持されていた。
　　　【００２３】
　上記操作で製作した複数の平板状のチタニア保持セラミックペーパーと、複数の波板状のチタニア保持セラミックペーパーとを１枚置きに積層し、かつこの積層体をロール状に巻いて、図３に示すように、直径１．５ｍ、長さ０．４ｍのローター（９）を得た。
　　　【００２４】
実施例２
　本発明による低濃度ＮＯＸおよびＳＯＸの同時除去方法の一例を図１のフローシートにより説明する。
　　　【００２５】
　処理すべきガスは洗浄装置（１）に導かれ、同装置（１）の頂部に内装されたクーラ（２）で冷却される。ついで、同ガスは脱湿装置（３）に導入され、脱湿ローター（６）によりガス中の水分が吸着除去され、脱湿ガスか得られる。ついでこの脱湿ガスは吸着装置（４）へ導かれ、その吸着ローター（９）によってＮＯＸおよびＳＯＸが同時に吸着除去される。
　　　【００２６】
　こうして処理されたガスは脱湿装置（３）のヒーター（８）て加熱され、脱湿ローター（６）の脱湿剤を再生するのに使用された後、洗浄装置（５）を経て系外ヘパージされる。
　　　【００２７】
　一方、吸着装置（４）でＮＯＸおよびＳＯＸを吸着した吸着剤は、加熱空気により再生される。
　　　【００２８】
　つぎに、脱湿装置（３）および吸着装置（４）の構成について説明する。
　　　【００２９】
　まず、図１および図２を参照して、脱湿装置の一例について説明する。本発明による処理方法で用いる脱湿装置（３）は、処理すべきガスを脱湿処理し、処理後のガスにより脱湿剤を再生する。そのために、シリカゲルを脱湿剤（水分吸着剤）とする板状吸着剤を適当なスペーサーを介して重ねたり、平板と波板吸着剤を交互に重ねたり、一体型のハニカム構造体とした脱湿ローター（６）が用いられ、脱湿ローター（６）を左右のゾーンに分割するようなガス流路か形成されている。そして一方のゾーンに処理すべきガスが流通され、他方のゾーンに再生用の処理後ガスが流通され、脱湿ローター（６）が回転される。これによって、連続的な脱湿・再生処理がなされる。吸着によって生じた熱は、クーラー（７）で冷却され、また再生用の処理後ガスは上記の如くヒーター（８）て加熱される。
　　　【００３０】
　つぎに、図１および図３を参照して、吸着装置の一例について説明する。本発明による処理方法で用いる吸着装置（４）は、脱湿後のガス中のＮＯＸおよびＳＯＸを吸着除去し、加熱空気の循環により吸着物を脱着させるものである。そのために、吸着装置（４）には、実施例１で調製した吸着除去剤を保持した吸着ローター（９）が内装され、吸着ローター（９）を吸着ゾーン（１０）、予熱ゾーン（１１）、再生ゾーン（１２）および冷却ゾーン（１３）の４つに分割するようなガス流路が形成されている。そして脱湿後の処理すべきガスは吸着ゾーン（１０）に流通され、ガス中のＮＯＸおよびＳＯＸが吸着除去される。処理後のガスは、上記の通り脱湿装置（３）に送られて脱湿剤の再生に用いられる。また、処理後のガスの一部は吸着ローター（９）の冷却ゾーン（１３）に通された後、熱交換器（１４）を経て脱湿装置（３）へ送られる。
　　　【００３１】
　吸着剤再生用の加熱空気は、加熱器（１５）で適当な温度（１００〜３００℃）に加熱され、省エネルギーの観点から循環使用される。加熱空気は、吸着ローター（９）の再生ゾーン（１１）ついで予熱ゾーン（１２）に通され、さらに熱交換器（１４）を経て加熱器（１５）に循環される。この加熱空気の循環により吸着ローター（９）から吸着物が脱着される。この状態で、吸着ローター（９）が回転され、ＮＯＸおよびＳＯＸの連続的な同時吸着除去がなされる。
　　　【００３２】
　この循環空気の一部はパージガスとして系外へ抜き出される際に脱硝・脱硫装置（１６）に通されて無害化され、ついで脱湿装置（３）へ送られる。このパージガス量は非常に少ないため、脱硝・脱硫装置（１６）は小型なものでよく、パージガスは効果的かつ安価に無害化される。
　　　【００３３】
性能試験
　実施例２の方法に従ってガス処理を行い、実施例１の吸着除去剤の性能を試験した。
　　　【００３４】
　なお、吸着装置（４）において、吸着ローター（９）の回転数は６ｒｐｈ、加熱空気の循環量は８００Ｎｍ３／ｈ、吸着ローター（９）の再生ゾーン（１１）入口温度は２５０℃にそれそれ設定した。
　　　【００３５】
　図１において、処理すべきガスを脱湿装置（３）から吸着装置（４）へ導入するライン上の点（Ａ）と、処理後のガスを吸着装置（４）から脱湿装置（３）へ排出するライン上の点（Ｂ）とにおいて、それそれＮＯＸ濃度、ＳＯＸ濃度および湿分濃度を測定した。その測定結果を表１に示す。
　　　【００３６】
　【表１】
　表１から明らかなように、実施例１の吸着除去剤は優れたＮＯＸおよびＳＯＸ除去性能を有することが認められる。
　　　【００３７】
　　【発明の効果】
　本発明によれば、道路トンネル等の換気ガス中に含有される低濃度のＮＯＸとＳＯＸとを同時に効率よく除去することができる。
【図面の簡単な説明】
　　【図１】
　本発明方法の実施例を示すフローシートてある。
　　【図２】
　脱湿ローターを示す斜視図てある。
　　【図３】
　吸着ローターを示す斜視図である。
　　【符号の説明】
（１）…洗浄装置
（２）…クーラー
（３）…脱湿装置
（４）…吸着装置
（５）…洗浄装置
（６）…脱湿ローター
（７）…クーラー
（８）…ヒーター
（９）…吸着ローター
（１０）…吸着ゾーン
（１１）…予熱ゾーン
（１２）…再生ゾーン
（１３）…冷却ゾーン
（１４）…熱交換器
（１５）…加熱器
（１６）…脱硝・脱硫装置